(57)【特許請求の範囲】
【請求項１】
水平方向に引出自在に備えられた載置台（１０）に炊飯器（１１）が載置され、該載置台（１０）に、該炊飯器（１１）から取り外した蓋（１７）を立てた状態で保持する保持手段（１８）を備えており、
前記保持手段（１８）は、前記炊飯器（１１）よりも引き出し方向前側となる位置にて前記蓋（１７）を引出方向前後から挟持状に支持するものであって、
前記蓋（１７）の表面側を支持すると共に載置台（１０）を引き出し操作可能とする引出ハンドル（１２）と、
該引出ハンドル（１２）よりも下位且つ炊飯機（１１）側で前記蓋（１７）を下側から受持ち支持すると共に裏面側から支持し、さらに、前記蓋（１７）及び引出ハンドル（１２）が前記炊飯器（１１）に接触するのを防止するガード体（３０）と、
を備えていることを特徴とする炊飯器の蓋保持装置。
【請求項２】
前記ガード体（３０）は、前記蓋（１７）の下端が炊飯器（１１）の点火スイッチ（２８）よりも上方に位置するように、当該蓋（１７）を下側から受持ち支持する蓋受け部（２５）を有していることを特徴とする請求項１に記載の炊飯器の蓋保持装置。
【請求項３】
前記蓋受け部（２５）は、その下部側が上部側よりも炊飯器（１１）から離れるような傾斜姿勢に形成されていることを特徴とする請求項２に記載の炊飯器の蓋保持装置。
【請求項４】
前記ガード体（３０）は、前記蓋（１７）を下側から受持ち支持する蓋受け部（２５）を有し、この蓋受け部（２５）は、その下部側が上部側よりも炊飯器（１１）から離れるような傾斜姿勢に形成されていることを特徴とする請求項１に記載の炊飯器の蓋保持装置。
【請求項５】
前記蓋受け部（２５）は、前記蓋（１７）の下端縁が嵌合することで当該蓋（１７）の移動を規制する嵌合溝（２９）を有していることを特徴とする請求項２乃至請求項４の何れかに記載の炊飯器の蓋保持装置。
【発明の詳細な説明】
【０００１】
【発明の属する技術分野】
本発明は、例えば自動炊飯装置や自動洗米装置等において、載置台に載せた炊飯器から取り外した蓋を保持するための蓋保持装置に関するものである。
【０００２】
【従来の技術】
従来より、貯蔵した米の計量から洗米、水加減、排米、炊飯に至る一連の炊飯工程を自動的に行う自動炊飯装置が知られている。
例えば、特開平７−１１１９４１号公報には、貯米庫内の米を計量して洗米タンクに投入し、洗米タンク内で洗浄した米を炊飯用の水（水加減水）とともに炊飯器に投入し、炊飯器の点火スイッチをオンすることで炊飯を開始するように構成した穀物処理装置（自動炊飯装置）が開示されており、この穀物処理装置では、炊飯器が、洗米タンクの下方位置から引き出し自在に構成された載置台上に載置され、炊飯器から蓋を取り外した状態で炊飯器内に米及び水加減水を投入するように構成したものであった。
【０００３】
【発明が解決しようとする課題】
前記公報記載の穀物処理装置は、炊飯器から取り外した蓋を、載置台に立設した引き出しハンドルと炊飯器との間の空間部に挿入して保持することで、別途蓋の置き場所を確保する必要のないものとなっていた。
しかしながら、引き出しハンドルと炊飯器との間の空間部に蓋を挿入すると、該蓋の下端が炊飯器の点火スイッチに接触してこれを誤って操作する可能性があり、米の投入前であるにも関わらず炊飯工程に移行したと検知して後工程に支障を来す恐れがあった。また、挿入した蓋が炊飯器に接触して外面を傷つけてしまう恐れもあった。
【０００４】
一方、載置台には、必要に応じて容量の大きい炊飯器を載せることがあり、この場合、炊飯器と引き出しハンドルとの間隔が狭くなるため、蓋を挿入できなくなるという不都合が生じていた。
また、前記従来技術では、引き出しハンドルの握り部に凹みを形成し、この凹みに蓋の把手を嵌合させることで、蓋が側方へ抜け落ちることを防止していたが、このような凹みを設けると引き出しハンドルが握りにくくなることから、載置台の引き出し操作が困難になるという課題もあった。
【０００５】
本発明は、上記のような問題点に鑑みてなされたものであり、炊飯器の外面に接触したり、また、点火スイッチに接触するようなことなく好適に炊飯器の蓋を保持できるようにした炊飯器の蓋保持装置を提供することを目的とする。
【０００６】
【課題を解決するための手段】
本発明は、上記目的を達成するために以下の技術的手段を講じている。
すなわち、本発明は、炊飯器１１が載置される載置台１０に、同炊飯器１１から取り外した蓋１７を立てた状態で保持する保持手段１８を備えている炊飯器の蓋保持装置において、
前記保持手段１８は、前記炊飯器１１と前記蓋１７との間に、該蓋１７が前記炊飯器１１に接触するのを防止するガード体３０を備えていることを特徴とするものである。
【０００７】
これによれば、炊飯器１１の蓋１７を保持手段１８にセットする際に、ガード体３０によって蓋１７が炊飯器１１の側面に接触するようなことが防止され、誤って点火スイッチ２８を操作したり、炊飯器１１の外面を傷つけるようなことが防止できるものとなる。
また、前記ガード体３０は、前記蓋１７の下端が炊飯器１１の点火スイッチ２８よりも上方に位置するように、当該蓋１７を受持ち支持する蓋受け部２５を有した構成とするのが好ましく、これにより、蓋１７の下端が点火スイッチ２８に接触してこれを誤操作するようなことが確実に防止できるようになる。
【０００８】
そして、前記ガード体３０は、前記蓋１７を下側から受持ち支持する蓋受け部２５を有した構成とし、この蓋受け部２５を、その下部側が上部側よりも炊飯器１１から離れるような傾斜姿勢に形成するのが好ましく、この場合、蓋受け部２５に蓋１７を載せる動作によって、蓋１７の下端が炊飯器１１から離れるように作用し、炊飯器１１への接触が確実に防止できるものとなる。
また、本発明は、前記載置台１０が、水平方向に引き出し自在に備えられるとともに、この載置台１０に、同載置台１０を引き出し操作するための引出ハンドル１２が設けられ、前記ガード体３０は、前記引出ハンドル１２との間で前記蓋１７を挟持状に支持するとともに、その蓋受け部２５は、前記蓋１７の下端縁が嵌合することで当該蓋１７の移動を規制する嵌合溝を有していることを特徴とするものである。
【０００９】
これによって、従来技術のように、引出ハンドルに蓋１７の把手が嵌合する凹みを設けなくとも、蓋１７の抜け落ちが確実に防止でき、載置台１０の引出操作も好適に行い得るものとなる。
本発明にかかる炊飯器の蓋保持装置は、炊飯器１１が載置される載置台１０に、同炊飯器１１から取り外した蓋１７を立てた状態で保持する保持手段１８を備えている炊飯器の蓋保持装置において、
前記保持手段１８は、前記蓋１７の下端が炊飯器１１の点火スイッチ２８よりも上方に位置するように、当該蓋１７を受持ち支持する蓋受け部２５を有していることを特徴とするものである。
【００１０】
これによれば、上記と同様、保持手段１８にセットした蓋１７の下端が点火スイッチ２８に接触するようなことが防止でき、誤操作を防ぐことができるようになる。
本発明にかかる炊飯器の蓋保持装置は、炊飯器１１を載せた載置台１０が水平方向に引出自在に備えられ、この載置台１０の引き出し方向前側に、同載置台１０を引き出し操作するための引出ハンドル１２が設けられ、この引出ハンドル１２の引き出し方向前側に、前記蓋１７を下側から受持ち支持する蓋受け部２５と、引出ハンドル１２との間で蓋１７を挟持状に支持する支持部２６とを有する保持手段１８が設けられていることを特徴とするものである。
【００１１】
これによれば、引出ハンドル１２の引き出し方向前側で保持手段１８によって蓋１７を保持するようになるため、引出ハンドル１２が炊飯器１１に対するガード体としての機能を有するものとなり、保持した炊飯器１１の蓋１７が炊飯器１１に接触するようなことを防止でき、更に、載置台１０上に容量の大きい炊飯器１１を載置して引出ハンドル１２との間隔が狭くなった場合でも、蓋１７の置き場所を確実に確保できるものとなる。
【００１２】
【発明の実施の形態】
以下、本発明の実施の形態を図面を参照して説明する。
図２及び図３は、本発明にかかる炊飯器１１の蓋保持装置を備えた自動炊飯装置１を示しており、この自動炊飯装置１は、基台２の後側部に左右一対の縦枠３を立設し、該縦枠３の上端に箱形のケース体４を備えてその枠組を構成しており、前記ケース体４の内部には、貯米庫５及び計量器６が内臓され、ケース体４の下側には洗米タンク７が装着されている。
【００１３】
前記基台２の下面には、複数の車輪（キャスター車輪）８が設けられていて、炊飯装置１を移動可能としており、厨房等の所定位置に移動したのちアジャスタ等によって据え付け固定可能としてある。
また、基台２の上面には、スライドレール、ローラ等を介して前後水平方向（図３の左右方向）に移動自在に載置台１０が設けられており、この載置台１０上に炊飯器１１が載置されるとともに、引出ハンドル１２を介して載置台１０を移動することで、炊飯器１１を、洗米タンク７の下方位置からその前方位置へと引き出し自在に構成してある。
【００１４】
前記炊飯器１１は、電気式、ガス式等のコンロ部１４と、このコンロ部１４上に着脱自在に載置した外釜１５と、この外釜１５に嵌脱自在に挿嵌される内釜１６と、内釜１６を開閉自在に閉鎖する蓋１７とを備えており、コンロ部１４又は外釜１５の前面には点火スイッチ２８が設けられている。
前記構成の自動炊飯装置１では、貯米庫５内の米を計量器６で計量しながら洗米タンク７に投入し、この洗米タンク７内で洗米水を給水しながら攪拌棒又はジェット水流等によって米を洗浄する。そして、ザル上げ工程を経たのち、洗米タンク７内に水加減水を供給するとともに、洗米タンク７下部の排米弁１９を開くことで、米及び水加減水を炊飯器１１の内釜１６に投入し、炊飯器１１の点火スイッチ２８をオンすることで炊飯を開始するようになっている。
【００１５】
上記工程のうち、洗米タンク７から米及び水加減水を炊飯器１１に投入する場合、炊飯器１１の蓋１７は、予め内釜１６から取り外されるようになっており、この蓋１７は、載置台１０に設けた保持手段１８によって保持するように構成されている。
この保持手段１８は、図１にも示すように、蓋１７を立てた状態で前後（引出方向前後）から挟持状に支持する第１、第２部材２１，２２を備えており、第１部材２１は、載置台１０の前側（引き出し方向前側）の上面から上方に立設した左右一対の第１縦杆２１Ａ，２１Ａと、この第１縦杆２１Ａ，２１Ａの上端間を連結する左右方向の第１横杆２１Ｂとを一体に備えた正面視略門型に形成されている。
【００１６】
第２部材２２も、載置台１０の前側上面から上方に立設した左右一対の第２縦杆２２Ａ，２２Ａと、この第２縦杆２２Ａ，２２Ａの上端間を連結する左右方向の第２横杆２２Ｂとを一体に備えた正面視略門型とされている。
前記第１部材２１の一対の縦杆２１Ａ、２１Ａの間隔は、蓋１７の左右幅（直径よりも小さくなるように設定されており、第２部材２２の一対の縦杆２２Ａ、２２Ａは、第１縦杆２１Ａ、２１Ａの左右内側に立設されるとともに、その高さが低く形成されている。したがって、第２部材２２は、正面視で第１部材２１の門型内部に納まるように構成されている。
【００１７】
前記第１部材２１は、その横杆２１Ｂを手で握りながら載置台１０を引き出し操作可能とする前記引出ハンドル１２を兼ねており、その縦杆２１Ａの上部は、図１の側面視において若干前方に傾斜されている。
これに対して、第２部材２２は、その第２縦杆２２Ａの基部が第１縦杆２１Ａの基部と横並びに配設されるとともに、上部側が若干後方に傾斜しており、これによって、第１部材２１と第２部材２２との前後間に、蓋１７の保持空間２０が形成されるようになっている。
【００１８】
そして、第２縦杆２２Ａの上下中途部（傾斜部分）は、蓋１７を受持ち支持する蓋受け部２５に構成され、第１縦杆２１Ａの上部及び第１横杆２１Ｂは、蓋１７の表面側を前記蓋受け部２５よりも上位で支持する前支持部２６に構成されており、よって、本発明にかかる保持手段１８は、前記保持空間２０に蓋１７を挿入するとともに、蓋受け部２５に蓋１７の下端部を載せ、支持部２６に蓋１７の表面側を当接することによって、蓋１７を保持可能としている。
また、第２部材２２は、蓋１７と炊飯器１１との間に介在されていて、蓋１７が炊飯器１１の外面や点火スイッチ２８に接触するのを防止するガード体３０を構成するものとなり、その蓋受け部２５は、蓋１７の下端が炊飯器１１の点火スイッチ２８よりも上方に位置するように蓋１７を受持ち支持しており、これによっても蓋１７が点火スイッチ２８に接触するようなことを防止している。
【００１９】
なお、前記第２縦杆２２Ａは、蓋１７を下側から支持する蓋受け部２５を構成するだけでなく、その傾斜姿勢によって蓋１７を裏面側からも支持する後支持部２７に構成されるものとなっており、これらを別々に備える場合に比べて構造が簡素化されるようになっている。
一方、蓋１７の下端縁の円弧部は、一対の第２縦杆２２Ａ（蓋受け部２５）の間に形成される嵌合溝２９に嵌合されるようになっており、これによって蓋１７の左右側方への抜け落ちを防止できるものとなっている。したがって、従来技術のように、引き出しハンドル１２の握り部（第１部材２１の横杆２１Ｂ）に対して蓋１７の把手１７Ａが嵌合する凹部等を形成する必要がないため、炊飯器１１の引き出し操作も好適に行い得るようになっている。
【００２０】
前記蓋受け部２５は、その下部側が上部側よりも炊飯器１１から離れるような傾斜姿勢に形成されているため、蓋受け部２５に蓋１７を載せる動作等によって、蓋１７の下端部が炊飯器１１から側方に離れるように作用し、これによっても炊飯器１１への接触が防止されようになっている。
また、第１，第２部材２１，２２は、互いに側面視Ｖ字状を呈するように配設されており、両者間の保持空間２０は、その上部側が広くなることから蓋１７を挿入し易くなり、下部側が狭くなることから蓋１７のガタつきを可及的に抑えることができるようになっている。
【００２１】
そして、保持された蓋１７の上部側は、洗米タンク７の排米弁１９を前側方から覆うように配設されており、これによって、洗米タンク７から米及び水加減水を投入したときに、これらが作業者側に飛散するようなことを防止している。その一方で、前記蓋１７は、若干前傾姿勢で保持されるようになっているため、その前上方からの米等の投入状況の視認性を確保できるようにしている。
図４は、本発明の第２実施形態に係る保持手段１８を示している。
この保持手段１８は、引出ハンドル１２としての第１部材２１が、前記実施形態と同一の構成とされ、第２部材２２は、その第２縦杆２２Ａの上下中途部に前方へＬ字状に屈曲した屈曲部（蓋受け部２５）を備え、第２縦杆２２Ａの上部側及び第２横杆２２Ｂを、蓋１７を表面側から支持する前支持部２６に構成している。
【００２２】
したがって、第１，第２部材２１，２２間の保持空間２０に蓋１７を挿入するとともに、その下端縁を蓋受け部２５上に載せ、前支持部２６に蓋１７の表面側を当接することで、蓋１７を保持するように構成されている。
本実施形態では、引出ハンドル１２としての第１部材２１よりも前側で蓋１７を保持していることから、当該引出ハンドル１２がガード体３０としての機能を有するものとなり、このガード体３０により炊飯器１１の側面に蓋１７が接触するようなことを防止している。
【００２３】
そして、第１実施形態のように、引出ハンドル１２よりも後側に第２部材２２が突出していないために載置台１０上のスペースが広くなり、容量の大きい炊飯器１１でも載置可能となる。また、容量の大きい炊飯器１１を載せることによって炊飯器１１と引出ハンドル１２との間隔が狭くなったとしても、引出ハンドル１２の前側に蓋１７の置き場所を確保できるものとなる。
また、本実施形態の場合、保持手段１８に蓋１７をセットしている状態では、第２部材２２を、その横杆２２Ｂを握り部として引き出しハンドル１２に構成してもよい。
【００２４】
本発明は上記実施形態に限ることなく適宜設計変更可能であり、例えば、図５（ａ）に示すように、第２部材２２の縦杆２２Ａを、載置台１０の上面からでなく、第１部材２１の縦杆２１Ａから立設したものとしても良く、図５（ｂ）に示すように第１部材２１よりも第２部材２２を高くしたり、また、横幅を広く形成することも可能である。
また、図６に示すように、一本の棒材を屈曲することによって保持手段１８を構成してもよく、この場合、最上部の横杆３３を、引出ハンドル１２の握り部を兼ねた支持部２６に構成し、この横杆３３の左右端から下方に屈曲し、更にその下端から後方に屈曲した部分を蓋受け部２５に構成し、この蓋受け部２５の後端から左右内方に屈曲した部分及び該部分から下方に屈曲した部分をガード部（ガード体３０）に構成すればよく、この場合にも、蓋受け部２５によって蓋１７の下端が点火スイッチ２８よりも上方に位置するように支持するのが好ましい。
【００２５】
また、本発明の載置台１０を左右水平方向に引き出し自在に構成してもよく、引出ハンドル１２とは別に、保持手段１８（第１、第２部材２１，２２）を設けるようにしても良い。
【００２６】
【発明の効果】
以上詳述したように、本発明に係る蓋保持装置によれば、炊飯器の外面に接触したり、点火スイッチに接触するようなことなく好適に炊飯器の蓋を保持できるようになる。
【図面の簡単な説明】
【図１】本発明の実施形態にかかる蓋保持装置の側面断面図である。
【図２】自動炊飯装置の正面図である。
【図３】同側面図である。
【図４】本発明の第２実施形態にかかる蓋保持装置の側面断面図である。
【図５】本発明の他の実施形態にかかる蓋保持装置の正面図である。
【図６】本発明の他の実施形態にかかる蓋保持装置の斜視図である。
【符号の説明】
１  自動炊飯装置
１０  載置台
１１  炊飯器
１２  引出ハンドル
１７  蓋
１８  保持手段
２１  第１部材
２２  第２部材
２５  蓋受け部
２６  支持部
２８  点火スイッチ
【図１】
0003734988.tif 000002
【図２】
0003734988.tif 000003
【図３】
0003734988.tif 000004
【図４】
0003734988.tif 000005
【図５】
0003734988.tif 000006
【図６】
0003734988.tif 000007